(57)【要約】【課題】発信者ごとに接続待ち時間を調整可能な電話交換機、優先接続制御方法およびプログラムを提供する。【解決手段】ユーザ情報保管部３３は、一般電話ごとに最大待ち時間を保管し、決定部２１ｃは、接続要求を行った一般加入者電話の待ち時間が、その一般加入者電話の最大待ち時間以下になるように、その一般電話の待ち合わせ時刻を決定し、その一般電話が接続待ち状態のまま待ち合わせ時刻が超過した場合に、優先受付電話接続部５は、その一般加入者電話と優先受付電話７とを接続する。【選択図】図１
2008160254.tif 000002
【特許請求の範囲】
【請求項１】
複数の受付電話と優先受付電話と一般電話とに接続される電話交換機であって、
前記一般電話ごとに、最大待ち時間を保管するユーザ情報保管部と、
前記受付電話ごとに、該受付電話の負荷の状態を保管する負荷状態保管部と、
前記受付電話と前記一般電話との接続の要請を順番に受け付けた場合、その受付順に前記接続を実行する接続部と、
前記一般電話から前記受付電話への接続要求を受け付けた場合に、前記負荷状態保管部を参照して、前記負荷が最小の受付電話を特定する特定部と、
前記接続要求を行った一般電話を、前記特定部にて特定された受付電話に接続する要請を、前記接続部に行う要請部と、
前記接続要求を行った一般電話の待ち時間が該一般電話の最大待ち時間以下になるように、前記ユーザ情報保管部を参照して、該一般電話の待ち合わせ時刻を決定する決定部と、
時計部と、
前記接続要求を行った一般電話が接続待ち状態のまま、前記時計部が示す時刻が前記決定部にて決定された待ち合わせ時刻を超過したか否かを監視する受付タイマーと、
前記受付タイマーが前記時刻は前記待ち合わせ時刻を超過したと判定した場合に、前記接続要求を行った一般電話を前記優先受付電話に接続する優先接続部と、を含む電話交換機。
【請求項２】
請求項１に記載の電話交換機において、
前記負荷状態保管部は、
前記受付電話ごとに、接続待ち時間を保管する待ち時間保管部と、
前記受付電話ごとに、前記接続待ち状態の一般電話を識別するための識別情報と、該一般電話の待ち合わせ時刻と、を保管する待ち合わせ時刻保管部と、含み、
前記特定部は、前記一般電話から前記受付電話への接続要求を受け付けた場合に、前記待ち時間保管部と前記待ち合わせ時刻保管部とを参照して、前記接続待ち時間が最小の受付電話を特定する、電話交換機。
【請求項３】
請求項２に記載の電話交換機において、
前記決定部は、前記接続要求を行った一般電話を接続待ち状態としている受付電話の接続待ち時間を前記待ち時間保管部から読み出し、該接続待ち時間を前記時計部が示す時刻に加算して第１待ち合わせ時刻を決定し、前記接続要求を行った一般電話の最大待ち時間を前記ユーザ情報保持部から読み出し、該最大待ち時間を該時計部が示す時刻に加算して第２待ち合わせ時刻を決定し、該第１待ち合わせ時刻と該第２待ち合わせ時刻のうち、該時計部が示す時刻に近いほうを、前記待ち合わせ時刻として決定する、電話交換機。
【請求項４】
複数の受付電話と優先受付電話と一般電話とに接続され、また、前記一般電話ごとに最大待ち時間を保管するユーザ情報保管部と、前記受付電話ごとに該受付電話の負荷の状態を保管する負荷状態保管部と、前記受付電話と前記一般電話との接続の要請を順番に受け付けた場合にその受付順に前記接続を実行する接続部と、時計部と、を含む電話交換機が行う優先接続制御方法であって、
前記一般電話から前記受付電話への接続要求を受け付けた場合に、前記負荷状態保管部を参照して、前記負荷が最小の受付電話を特定する特定ステップと、
前記接続要求を行った一般電話を、前記特定された受付電話に接続する要請を、前記接続部に行う要請ステップと、
前記接続要求を行った一般電話の待ち時間が該一般電話の最大待ち時間以下になるように、前記ユーザ情報保管部を参照して、該一般電話の待ち合わせ時刻を決定する決定ステップと、
前記接続要求を行った一般電話が接続待ち状態のまま、前記時計部が示す時刻が前記決定された待ち合わせ時刻を超過したか否かを監視する監視ステップと、
前記時計部が示す時刻が前記待ち合わせ時刻を超過した場合に、前記接続要求を行った一般電話を前記優先受付電話に接続する優先接続ステップと、を含む優先接続制御方法。
【請求項５】
請求項４に記載の優先接続制御方法において、
前記負荷状態保管部は、
前記受付電話ごとに、接続待ち時間を保管する待ち時間保管部と、
前記受付電話ごとに、前記接続待ち状態の一般電話を識別するための識別情報と、該一般電話の待ち合わせ時刻と、を保管する待ち合わせ時刻保管部と、含み、
前記特定ステップでは、前記一般電話から前記受付電話への接続要求を受け付けた場合に、前記待ち時間保管部と前記待ち合わせ時刻保管部とを参照して、前記接続待ち時間が最小の受付電話を特定する、優先接続制御方法。
【請求項６】
請求項５に記載の優先接続制御方法において、
前記決定ステップでは、前記接続要求を行った一般電話を接続待ち状態としている受付電話の接続待ち時間を前記待ち時間保管部から読み出し、該接続待ち時間を前記時計部が示す時刻に加算して第１待ち合わせ時刻を決定し、前記接続要求を行った一般電話の最大待ち時間を前記ユーザ情報保持部から読み出し、該最大待ち時間を該時計部が示す時刻に加算して第２待ち合わせ時刻を決定し、該第１待ち合わせ時刻と該第２待ち合わせ時刻のうち、該時計部が示す時刻に近いほうを、前記待ち合わせ時刻として決定する、優先接続制御方法。
【請求項７】
複数の受付電話と、優先受付電話と、一般電話と、前記一般電話ごとに最大待ち時間を保管するユーザ情報保管部と、前記受付電話ごとに該受付電話の負荷の状態を保管する負荷状態保管部と、前記受付電話と前記一般電話との接続の要請を順番に受け付けた場合にその受付順に前記接続を実行する接続部と、に接続されるコンピュータに、
時刻を計時する計時手順と、
前記一般電話から前記受付電話への接続要求を受け付けた場合に、前記負荷状態保管部を参照して、前記負荷が最小の受付電話を特定する特定手順と、
前記接続要求を行った一般電話を、前記特定された受付電話に接続する要請を、前記接続部に行う要請手順と、
前記接続要求を行った一般電話の待ち時間が該一般電話の最大待ち時間以下になるように、前記ユーザ情報保管部を参照して、該一般電話の待ち合わせ時刻を決定する決定手順と、
前記接続要求を行った一般電話が接続待ち状態のまま、前記計時された時刻が前記決定された待ち合わせ時刻を超過したか否かを監視する監視手順と、
前記計時された時刻が前記待ち合わせ時刻を超過した場合に、前記接続要求を行った一般電話を前記優先受付電話に接続する優先接続手順と、を実行させるプログラム。
【請求項８】
請求項７に記載のプログラムにおいて、
前記負荷状態保管部は、
前記受付電話ごとに、接続待ち時間を保管する待ち時間保管部と、
前記受付電話ごとに、前記接続待ち状態の一般電話を識別するための識別情報と、該一般電話の待ち合わせ時刻と、を保管する待ち合わせ時刻保管部と、含み、
前記特定手順では、前記一般電話から前記受付電話への接続要求を受け付けた場合に、前記待ち時間保管部と前記待ち合わせ時刻保管部とを参照して、前記接続待ち時間が最小の受付電話を特定する、プログラム。
【請求項９】
請求項８に記載のプログラムにおいて、
前記決定手順では、前記接続要求を行った一般電話を接続待ち状態としている受付電話の接続待ち時間を前記待ち時間保管部から読み出し、該接続待ち時間を前記計時された時刻に加算して第１待ち合わせ時刻を決定し、前記接続要求を行った一般電話の最大待ち時間を前記ユーザ情報保持部から読み出し、該最大待ち時間を該計時された時刻に加算して第２待ち合わせ時刻を決定し、該第１待ち合わせ時刻と該第２待ち合わせ時刻のうち、該計時された時刻に近いほうを、前記待ち合わせ時刻として決定する、プログラム。
【発明の詳細な説明】
【技術分野】
【０００１】
本発明は、電話交換機、優先接続制御方法およびプログラムに関し、特には、不特定多数の発信者（一般加入者電話）からの電話通信に関する接続待ち時間を制御する電話交換機、優先接続制御方法およびプログラムに関する。
【背景技術】
【０００２】
従来の電話交換システムが、特許文献１（特開２００３−２４４３２４号公報）に記載されている。図６は、特許文献１に記載の電話交換システムを示したブロック図である。
【０００３】
図６において、この電話交換システムは、発信側に設けられる蓄積プログラム制御式の発信側交換機２０１と、着信側に設けられる蓄積プログラム制御式の着信側交換機４０１と、これらの交換機を中継回線を介して接続する中継交換機５０１とから構成されている。
【０００４】
発信側交換機２０１は、発呼加入者１０１を収容する通信路スイッチ６０１と、交換機の各種操作処理を実行するためのプログラムを記憶しておく記憶装置７０１と、記憶装置７０１から読み出したプログラムに基づき所定の処理を実行するコンピュータ機能を有す中央制御装置８０１を備える。
【０００５】
中央制御装置８０１は、発呼加入者１０１のダイヤルした優先着信接続サービスが付与された契約加入者番号を本来の一般電話番号に変換するためのデータベース９０１と接続する。
【０００６】
中央制御装置８０１は、優先呼判定部８１と、番号変換部８２と、優先加入者設定部８３と、規制処理部８４とを備える。
【０００７】
優先呼判定部８１は、発呼加入者１０１のダイヤルした番号が優先的に着信を許容する優先着信加入者３０１への接続を示す所定の特番であるか否かを識別する。
【０００８】
番号変換部８２は、優先呼判定部８１がこの所定の特番を認識したとき、発呼加入者１０１から受信した被呼者の契約加入者番号を、データベース９０１を参照して、本来の一般電話番号に変更する。
【０００９】
優先加入者設定部８３は、着信側へ送出する発ユーザ識別情報に優先着信加入者であることを示す情報を設定する。
【００１０】
規制処理部８４は、発ユーザ識別情報に対応して定めた呼規制率に基づき呼の規制を行う。
【００１１】
中間交換機５０１と着信側交換機４０１のそれぞれは、通信路スイッチ１００１、１３０１と、プログラムに基づき所定の処理を実行するコンピュータ機能を有する中央制御装置１１２、１１５を備える。
【００１２】
このような構成を有する従来の電話交換システムは、次のように動作する。
【００１３】
中央制御装置８０１は、発呼加入者１０１よりダイヤルされた電話番号（例：０ＸＹ０ー△△△△△△のような１０桁番号）を受信する。
【００１４】
次に、優先呼判定部８１は、受信した番号のうち、０ＸＹ０の特番で接続種別を識別する。
【００１５】
識別の結果、「０ＸＹ０」が優先着信加入者への接続を示す特番の場合、番号変換部８２は、発呼加入者１０１から受信した被呼者の電話番号を、この被呼者の市街番号を含む本来の一般電話番号に変換するため、データベース９０１にアクセスする。
【００１６】
次に、優先加入者設定部８３は、発ユーザ識別情報に優先着信加入者であることを示す情報を設定する。
【００１７】
一方、識別の結果、「０ＸＹ０」が一般電話番号の場合、優先加入者設定部８３は、発端末の端末種別を判断し、端末に応じた発ユーザ種別の優先度設定を行う。
【００１８】
さらに、規制処理部８４は、発ユーザ種別に対応して定めた呼規制率に応じた呼の規制を行い、規制を実施する。
【００１９】
特許文献２（特開２０００−２１６８８６号公報）には、複数の受付電話を備え、待ち時間が最小の受付電話に着呼を割り当てる電話受付システムが記載されている。
【００２０】
特許文献３（特開２００１−５３８８４号公報）には、受付電話への接続を待っている電話に待ち時間をアナウンスする受付システムが記載されている。
【特許文献１】特開２００３−２４４３２４号公報
【特許文献２】特開２０００−２１６８８６号公報
【特許文献３】特開２００１−５３８８４号公報
【発明の開示】
【発明が解決しようとする課題】
【００２１】
特許文献１に記載の電話交換システムは、以下の問題点を有する。
【００２２】
第１の問題点は、多数のユーザが通信を行うとしている場合において、利用している通信回線の輻輳により通信規制を行った場合、発呼側のユーザは、輻輳が終了するまで、着信側の回線に接続できないということである。
【００２３】
その理由は、発信者のダイヤルした電話番号により、優先的に接続を許可された発信者であるか否かを決定しているためである。
【００２４】
第２の問題点は、輻輳が発生した場合に、発信側のユーザには、いつ着信側の回線に接続することが可能か不明であることである。
【００２５】
その理由は、呼の規制を発信者のダイヤルした電話番号により規制し、発信側のユーザに受信側の回線の輻輳状態を把握させる機能が無いことにある。
【００２６】
特許文献２に記載の電話受付システムは、上記第１の問題点を解決可能であり、また、特許文献３に記載の受付システムは、上記第２の問題点を解決可能である。
【００２７】
しかしながら、特許文献１ないし３に記載のシステムでは、発信者ごとに、接続待ち時間を個別に調整できない。
【００２８】
本発明の目的は、発信者ごとに接続待ち時間を調整可能な電話交換機、優先接続制御方法およびプログラムを提供することである。
【課題を解決するための手段】
【００２９】
上記目的を達成するために、本発明の電話交換機は、複数の受付電話と優先受付電話と一般電話とに接続される電話交換機であって、前記一般電話ごとに、最大待ち時間を保管するユーザ情報保管部と、前記受付電話ごとに、該受付電話の負荷の状態を保管する負荷状態保管部と、前記受付電話と前記一般電話との接続の要請を順番に受け付けた場合、その受付順に前記接続を実行する接続部と、前記一般電話から前記受付電話へ接続要求を受け付けた場合に、前記負荷状態保管部を参照して、前記負荷が最小の受付電話を特定する特定部と、前記接続要求を行った一般電話を、前記特定部にて特定された受付電話に接続する要請を、前記接続部に行う要請部と、前記接続要求を行った一般電話の待ち時間が該一般電話の最大待ち時間以下になるように、前記ユーザ情報保管部を参照して、該一般電話の待ち合わせ時刻を決定する決定部と、時計部と、前記接続要求を行った一般電話が接続待ち状態のまま、前記時計部が示す時刻が前記決定部にて決定された待ち合わせ時刻を超過したか否かを監視する受付タイマーと、前記受付タイマーが前記時刻は前記待ち合わせ時刻を超過したと判定した場合に、前記接続要求を行った一般電話を前記優先受付電話に接続する優先接続部と、を含む。
【００３０】
また、本発明の優先接続制御方法は、複数の受付電話と優先受付電話と一般電話とに接続され、また、前記一般電話ごとに最大待ち時間を保管するユーザ情報保管部と、前記受付電話ごとに該受付電話の負荷の状態を保管する負荷状態保管部と、前記受付電話と前記一般電話との接続の要請を順番に受け付けた場合にその受付順に前記接続を実行する接続部と、時計部と、を含む電話交換機が行う優先接続制御方法であって、前記一般電話から前記受付電話への接続要求を受け付けた場合に、前記負荷状態保管部を参照して、前記負荷が最小の受付電話を特定する特定ステップと、前記接続要求を行った一般電話を、前記特定された受付電話に接続する要請を、前記接続部に行う要請ステップと、前記接続要求を行った一般電話の待ち時間が該一般電話の最大待ち時間以下になるように、前記ユーザ情報保管部を参照して、該一般電話の待ち合わせ時刻を決定する決定ステップと、前記接続要求を行った一般電話が接続待ち状態のまま、前記時計部が示す時刻が前記決定された待ち合わせ時刻を超過したか否かを監視する監視ステップと、前記時計部が示す時刻が前記待ち合わせ時刻を超過した場合に、前記接続要求を行った一般電話を前記優先受付電話に接続する優先接続ステップと、を含む。
【００３１】
上記発明によれば、一般電話ごとに最大待ち時間が保管され、接続要求を行った一般電話の待ち時間が、その一般電話の最大待ち時間以下になるように、その一般電話の待ち合わせ時刻が決定され、その一般電話が接続待ち状態のまま待ち合わせ時刻が超過した場合に、その一般電話が優先受付電話に接続される。
【００３２】
このため、発信者ごとに、接続待ち時間を個別に調整することが可能になる。
【００３３】
なお、前記負荷状態保管部は、前記受付電話ごとに、接続待ち時間を保管する待ち時間保管部と、前記受付電話ごとに、前記接続待ち状態の一般電話を識別するための識別情報と、該一般電話の待ち合わせ時刻と、を保管する待ち合わせ時刻保管部と、含み、前記特定部は、前記一般電話から前記受付電話への接続要求を受け付けた場合に、前記待ち時間保管部と前記待ち合わせ時刻保管部とを参照して、前記接続待ち時間が最小の受付電話を特定することが望ましい。
【００３４】
上記発明によれば、複数の受付電話の中で待ち時間が最小となる可能性が高い受付電話に対して、接続要求を行った一般電話を、接続待ち状態の電話として設定可能になる。
【００３５】
また、前記決定部は、前記接続要求を行った一般電話を接続待ち状態としている受付電話の接続待ち時間を前記待ち時間保管部から読み出し、該接続待ち時間を前記時計部が示す時刻に加算して第１待ち合わせ時刻を決定し、前記接続要求を行った一般電話の最大待ち時間を前記ユーザ情報保持部から読み出し、該最大待ち時間を該時計部が示す時刻に加算して第２待ち合わせ時刻を決定し、該第１待ち合わせ時刻と該第２待ち合わせ時刻のうち、該時計部が示す時刻に近いほうを、前記待ち合わせ時刻として決定することが望ましい。
【００３６】
上記発明によれば、接続待ち時間を適切に調整することが可能になる。
【００３７】
本発明のプログラムは、複数の受付電話と、優先受付電話と、一般電話と、前記一般電話ごとに最大待ち時間を保管するユーザ情報保管部と、前記受付電話ごとに該受付電話の負荷の状態を保管する負荷状態保管部と、前記受付電話と前記一般電話との接続の要請を順番に受け付けた場合にその受付順に前記接続を実行する接続部と、に接続されるコンピュータに、時刻を計時する計時手順と、前記一般電話から前記受付電話への接続要求を受け付けた場合に、前記負荷状態保管部を参照して、前記負荷が最小の受付電話を特定する特定手順と、前記接続要求を行った一般電話を、前記特定された受付電話に接続する要請を、前記接続部に行う要請手順と、前記接続要求を行った一般電話の待ち時間が該一般電話の最大待ち時間以下になるように、前記ユーザ情報保管部を参照して、該一般電話の待ち合わせ時刻を決定する決定手順と、前記接続要求を行った一般電話が接続待ち状態のまま、前記計時された時刻が前記決定された待ち合わせ時刻を超過したか否かを監視する監視手順と、前記計時された時刻が前記待ち合わせ時刻を超過した場合に、前記接続要求を行った一般電話を前記優先受付電話に接続する優先接続手順と、を実行させる。
【００３８】
上記発明によれば、上記優先接続制御方法をコンピュータにて実現可能となる。
【発明の効果】
【００３９】
本発明によれば、発信者ごとに接続待ち時間を調整可能になる。
【発明を実施するための最良の形態】
【００４０】
次に、本発明の実施の形態について図面を参照して説明する。
【００４１】
図１は、本発明の一実施形態の電話交換機を含む電話交換システムを示したブロック図である。
【００４２】
図１を参照すると、電話交換システムは、公衆電話回線網１００に接続した一般加入者電話（一般電話）１１〜１ｎと、受信側に設けられている受信側交換機４と、受信側交換機４に接続し通信状況のデータおよび動作プログラムを保管するデータ保管部３と、受信側交換機４に接続した受付電話６１〜６ｎおよび優先受付電話７と、を備える。
【００４３】
受信側交換機４は、受付電話６１〜６ｎを収容する受付電話接続部（接続部）４１〜４ｎと、優先受付電話７を収容する優先受付電話接続部（優先接続部）５と、データ保管部３から読み出した動作プログラムを実行して所定の処理を行うコンピュータである演算部２と、を備える。
【００４４】
受付電話接続部４１〜４ｎは、受付電話６１〜６ｎと一般加入者電話との接続の要請を順番に受け付けた場合、その受付順に、その接続を実行する。また、優先受付電話接続部５は、優先受付電話７と一般加入者電話との接続の要請を順番に受け付けた場合、その受付順に、その接続を実行する。
【００４５】
受付電話６ｎ（ｎは自然数）は、受付電話接続部４ｎに対応する。
【００４６】
演算部２は、着信した発信者電話（一般加入者電話）１ｎの電話番号を元にデータ保管部３に接続する。
【００４７】
演算部２は、通信受付・ディスパッチ部２１と、時計部２２と、受付タイマー２３を備える。
【００４８】
通信受付・ディスパッチ部２１は、着信した一般加入者電話１ｎを、複数ある受付電話６１〜６ｎのうちのどの受付電話に接続するかを、各受付電話での接続待ち一般加入者電話１ｎの数と、各受付電話での平均接続待ち時間と、に基づいて決定する。
【００４９】
時計部２２は、時刻を示す。
【００５０】
受付タイマー２３は、時計部２２を参照して、一般加入者電話１ｎが着信してから経過した時間を測定する。
【００５１】
データ保管部３は、平均待ち時間保管部３１と、待ち合わせ時刻保管部３２と、ユーザ情報保管部３３と、を備える。なお、平均待ち時間保管部３１と待ち合わせ時刻保管部３２とで、負荷状態保管部３４を構成する。
【００５２】
負荷状態保管部３４は、受付電話６１〜６ｎごとに、受付電話６１〜６ｎの負荷の状態（接続待ち時間に関する情報）を保管する。
【００５３】
平均待ち時間保管部３１は、待ち時間保管部の一例であり、受付電話６１〜６ｎごとに、接続待ち時間の情報を保管する。
【００５４】
図２は、平均待ち時間保管部３１が保管する情報の一例を示した説明図である。
【００５５】
図２に示したように、平均待ち時間保管部３１には、各時間帯における各受付電話の平均待ち時間の情報が保管される。
【００５６】
図３は、待ち合わせ時刻保管部３２が保管する情報の一例を示した説明図である。
【００５７】
図３に示したように、待ち合わせ時刻保管部３２には、受付電話ごとに、接続を待ち合わせている接続待ち加入者電話番号（識別情報）と、その接続待ち加入者電話番号の最大待ち時刻（待ち合わせ時刻）とが保管される。
【００５８】
図４は、ユーザ情報保管部３３が保管する情報の一例を示した説明図である。
【００５９】
図４に示したように、ユーザ情報保管部３３には、通信を行った一般加入者電話ごとに、過去の通信待ち時間と、接続待ちの最大時間（待ち時間閾値：最大待ち時間）とが保管される。
【００６０】
図１に戻って、通信受付・ディスパッチ部２１は、特定部２１ａと、要請部２１ｂと、決定部２１ｃと、を含む。
【００６１】
特定部２１ａは、一般加入者電話１ｎから受付電話６１ないし６ｎへの接続要求を受け付けた場合に、負荷状態保管部３４を参照して、負荷が最小の受付電話を特定する。
【００６２】
要請部２１ｂは、接続要求を行った一般加入者電話１ｎを、特定部２１ａにて特定された受付電話への接続する要請を、その受付電話に対応する受付電話接続部に行う。
【００６３】
決定部２１ｃは、接続要求を行った一般加入者電話１ｎの待ち時間が一般加入者電話１ｎの待ち時間閾値（最大待ち時間）以下になるように、ユーザ情報保管部３３を参照して、一般加入者電話１ｎの待ち合わせ時刻を決定する。
【００６４】
次に、動作を説明する。
【００６５】
図５Ａから図５Ｂは、図１に示した電話交換機の動作を説明するためのフローチャートである。以下、図５Ａから図５Ｂを参照して、本実施の形態の全体動作について説明する。
【００６６】
まず、演算部２は、一般加入者電話１ｎから受付電話６１ないし６ｎへの接続要求を受信する（ステップ１：以下「Ｓ１」と略称。以下同様）。
【００６７】
通信受付・ディスパッチ部２１の特定部２１ａは、待ち合わせ時刻保管部３２を参照して、一般加入者電話と通信を行っていない受付電話が存在するか否か検索する（Ｓ２）。
【００６８】
一般加入者電話と通信を行っておらず通信が可能な受付電話が存在する場合には（Ｓ３）、要請部２１ｂは、その受付電話に対応する受付電話接続部に、その受付電話と一般加入者電話１ｎを接続する要請をキューイングして、一般加入者電話１ｎをその受付電話に接続し、それらの電話を使った通話が開始される。
【００６９】
一方、通信が可能な受付電話が存在しない場合には（Ｓ３）、特定部２１ａは、平均待ち時間保管部３１を参照して、現在の時刻を含む時間帯における各受付電話の平均待ち時間を検索し、かつ、待ち合わせ時刻保管部３２を参照して、受付電話ごとの、通話待ちとなっている一般加入者電話数を検索する（Ｓ４）。
【００７０】
続いて、特定部２１ａは、受付電話ごとに、平均の待ち時間と通話待ちとなっている一般加入者電話の数との積をとり、その積が最小の受付電話を、待ち時間が最小（負荷が最小）と想定される受付電話として決定する。
【００７１】
続いて、要請部２１ｂは、一般加入者電話１ｎをその受付電話に接続する要請を、その受付電話に対応する受付電話接続部へキューイングし、また、特定部２１ａは、待ち合わせ時刻保管部３２において、その決定された受付電話に対応する接続待ち電話番号の欄に、一般加入者電話１ｎの電話番号を追加する（Ｓ５）。
【００７２】
続いて、決定部２１ｃは、特定部２１ａがＳ４にて検索した各受付電話における平均待ち時間のうち、特定部２１ａが待ち時間が最小と想定した受付電話の平均待ち時間を受付タイマー２３に提供する。
【００７３】
受付タイマー２３は、その平均待ち時間を、時計部２２が示す現在の時刻に加算し、その加算値（第１待ち合わせ時刻）を、Ｓ５で待ち合わせ時刻保管部３２に追加した電話番号に対応する最大待ち時刻の欄に登録する（Ｓ６）。
【００７４】
続いて、特定部２１ａは、受付タイマー２３がＳ６で計算した最大待ち時刻を取得し、その最大待ち時刻を、一般加入者電話１ｎへ通知する（Ｓ７）。
【００７５】
続いて、決定部２１ｃは、一般加入者電話１ｎの電話番号を元に、ユーザ情報保管部３３の検索を行う（Ｓ８）。
【００７６】
一般加入者電話１ｎの電話番号がユーザ情報保管部３３に登録されていない場合には、決定部２１ａは、Ｓ６にて待ち合わせ時刻保管部３２に登録した最大待ち時刻を変更せず、その最大待ち時刻をそのまま利用する。
【００７７】
一方、一般加入者電話１ｎの電話番号がユーザ情報保管部３３に登録されている場合には、決定部２１ａは、一般加入者電話１ｎの電話番号に対応する待ち時間閾値がユーザ情報保管部３３に登録されているか確認し（Ｓ９）、その待ち時間閾値が登録されていない場合には、Ｓ６にて待ち合わせ時刻保管部３２に登録した最大待ち時刻を変更せず、その最大待ち時刻をそのまま利用する。
【００７８】
決定部２１ｃは、ユーザ情報保管部３３に、一般加入者電話１ｎの電話番号に対応する待ち時間閾値が設定されている場合には、その待ち時間閾値を時計部２２が示す現在の時刻に加算し、その加算値（第２待ち合わせ時刻）を、Ｓ６にて設定した待ち合わせ時刻（第１待ち合わせ時刻）と比較し（Ｓ１０）、現在の時刻に近い待ち合わせ時刻を、Ｓ６にて設定した最大待ち時刻の欄に再設定する（Ｓ１１）。
【００７９】
一般加入者電話１ｎは、受付電話と通話可能となるまで待ち合わせを行い（Ｓ１２）、受付電話と接続できない場合には、受付タイマー２３は、時計部２２が示す時刻が一般加入者電話１ｎの最大待ち時刻を超過したか確認し（Ｓ１３）、最大待ち時刻を超過していない場合には、一般加入者電話１ｎは、通話可能まで待ち合わせを行う。
【００８０】
時計部２２が示す時刻が最大待ち時刻を超過した場合には、受付タイマー２３は、時計部２２が示す時刻が一般加入者電話１ｎの最大待ち時刻を超過したことを、要請部２１ｂに通知し、要請部２１ｂは、一般加入者電話１ｎと優先受付電話７との接続の要請を優先受付電話接続部５に行い、一般加入者電話１ｎを優先受付電話７に接続する（Ｓ１４）。
【００８１】
以上の過程により、一般加入者電話と受付電話または優先受付電話間にて、通話が開始されたため、特定部２１ａは、通話を開始した一般加入者電話１ｎの情報を、待ち合わせ時刻保管部３２から削除する（Ｓ１５）。
【００８２】
なお、受付タイマー２３は、時計部２２が示す時刻を用いて、一般加入者電話１ｎが着信してから一般加入者電話１ｎが受付電話または優先受付電話と接続するまでの時間を測定する。
【００８３】
続いて、特定部２１ａは、受付タイマー２３の測定値に基づいて、平均待ち時間保管部３１における今回通信を開始した受付電話番号の平均待ち時間を更新する（Ｓ１６）。
【００８４】
続いて、特定部２１ａは、ユーザ情報保管部３３において、待ち時間閾値を、今回通信を開始した一般加入者電話番号の待ち時間の平均に更新する（Ｓ１７）。
【００８５】
但し、待ち時間閾値は、待ち時間の平均でなく、固定値としてもよい。
【００８６】
以上説明したように本実施形態によれば、任意の一般加入者電話から問い合わせ窓口等への通信が多数集まる受付電話への通信において、受付電話と通信が始まる予定時刻が発信者へ通知可能となる。
【００８７】
また、受付電話との接続待ちとなっている一般加入者電話のうち、長時間接続待ちとなっている一般加入者電話番号を優先受付電話に接続する場合、発信者に関係なく優先受付電話へ一定の時間閾値を利用して接続させるのではなく、発信者に応じて優先電話に接続するまでの時間を設定可能となる。
【００８８】
また、本実施形態では、特定部２１ａは、一般加入者電話から受付電話への接続要求を受け付けた場合に、平均待ち時間保管部３１と待ち合わせ時刻保管部３２とを参照して、接続要求を行った一般加入者電話と接続する受付電話を特定する。
【００８９】
この場合、複数の受付電話の中で待ち時間が最小となる可能性が高い受付電話に対して、接続要求を行った一般加入者電話を接続することが可能になる。
【００９０】
また、本実施形態では、決定部２１ｃは、第１待ち合わせ時刻と第２待ち合わせ時刻のうち、時計部２２が示す時刻に近いほうを、待ち合わせ時刻として決定する。
【００９１】
この場合、接続待ち時間を適切に調整することが可能になる。
【００９２】
以上説明した実施形態において、図示した構成は単なる一例であって、本発明はその構成に限定されるものではない。
【図面の簡単な説明】
【００９３】
【図１】本発明の実施形態の構成を示すブロック図である。
【図２】平均待ち合わせ時間保管部３１の構成を示す図である。
【図３】待ち合わせ時間保管部３２の構成を示す図である。
【図４】ユーザ情報保管部３３の構成を示す図である。
【図５Ａ】本発明の実施形態の優先接続制御の処理手順を示すフローチャートである。
【図５Ｂ】本発明の実施形態の優先接続制御の処理手順を示すフローチャートである。
【図６】従来の電話交換システムを示したブロック図である。
【符号の説明】
【００９４】
１１〜１ｎ  一般加入者電話
２      演算部
２１    通信受付・ディスパッチ機能
２１ａ  特定部
２１ｂ  要請部
２１ｃ  決定部
２２    時計部
２３    受付タイマー
３      データ保管部
３１    平均待ち時間保管部
３２    待ち合わせ時刻保管部
３３    ユーザ情報保管部
３４    負荷情報保管部
４      受信側交換機
４１〜４ｎ  受付電話接続部
５      優先受付電話接続部
６１〜６ｎ  受付電話
７      優先受付電話
【図１】
2008160254.tif 000003
【図２】
2008160254.tif 000004
【図３】
2008160254.tif 000005
【図４】
2008160254.tif 000006
【図５Ａ】
2008160254.tif 000007
【図５Ｂ】
2008160254.tif 000008
【図６】
2008160254.tif 000009